(57)【要約】      （修正有）【課題】昼間や照明下での壁紙の装飾効果を損ねることもなく、蓄光によって、暗闇や夜間の消灯時、或いは停電時において、出口や非常口などの各種方向を示すサイン表示部を有する壁紙を提供する。【解決手段】基材と、前記基材の表面に形成された装飾層から構成される壁紙であって、前記装飾層の表面は、装飾部３ａ及びサイン表示部３ｂを有し、前記装飾部３ａの周囲の少なくとも一辺に、前記サイン表示部３ｂが設けられ、前記サイン表示部３ｂには、蓄光顔料を含むサイン模様４が形成されることを特徴とする。【選択図】図１
0003176058.tif 000002
【実用新案登録請求の範囲】
【請求項１】
基材と、前記基材の表面に形成された装飾層から構成される壁紙であって、
前記装飾層の表面は、装飾部及びサイン表示部を有し、
前記装飾部の周囲の少なくとも一辺に、前記サイン表示部が設けられ、
前記サイン表示部には、蓄光顔料を含むサイン模様が形成されることを特徴とする蓄光サイン壁紙。
【請求項２】
前記サイン表示部の幅が、１０〜１００ｍｍであることを特徴とする請求項１記載の蓄光サイン壁紙。
【請求項３】
前記サイン模様は、樹脂成分１００重量部に対して、蓄光顔料を１０〜５０重量部含有した樹脂組成物で形成されることを特徴とする請求項１又は２に記載の蓄光サイン壁紙。
【請求項４】
前記基材の裏面に粘着層を有することを特徴とする請求項１〜３のいずれか1項に記載の蓄光サイン壁紙。
【請求項５】
前記壁紙がボーダー壁紙であり、前記サイン表示部が前記装飾部の上部又は下部、或いは上下部両方の辺に設けられていることを特徴とする請求項１〜４のいずれか１項に記載の蓄光サイン壁紙。
【考案の詳細な説明】
【技術分野】
【０００１】
本考案は、各種建物の室内壁面に貼る壁紙において、暗所や夜間に蛍光灯などの電気照明が消灯した際、或いは停電時に発光して、出口や非常口などの各種方向を示すことができる壁紙に関する。
【背景技術】
【０００２】
従来から、蓄光顔料を含む印刷インキを利用して、暗所や夜間に照明を消灯した際に、昼間や照明下とは異なる装飾効果を示す壁紙が知られている。例えば、特許文献１には、紙や不織布などの基材表面に装飾層を形成した壁紙であって、該装飾層の一部は、蓄光顔料を含む樹脂やインキを塗布、印刷等して形成されることが開示されている。このような壁紙は、暗所や夜間の消灯時では、蓄光顔料が発光し、昼間や照明下とは異なる装飾が視認できるようになる。
【０００３】
また、装飾効果以外にも、例えば、特許文献２には、基材表面に、蓄光顔料を含んだ塗料を塗布した蓄光壁紙によって、停電などの非常時に壁面が発光することで明るさを確保し、非常口への避難誘導が容易となることが記載されている。
【先行技術文献】
【特許文献】
【０００４】
【特許文献１】特開平０１−２０７４９７号公報
【特許文献２】特開平０４−０５１４０５号公報
【考案の概要】
【考案が解決しようとする課題】
【０００５】
特許文献１では、装飾層の一部に蓄光顔料を含むが、それ以外の部分は、昼間や照明下で視認される部分である。そのため、例えば、蓄光顔料を含む部分とそれ以外の部分とが同じ領域で混在すると、昼間や照明下でも、蓄光顔料を含む部分が多少なりとも視認できるため、昼間や照明下での装飾効果が損なわれやすいものであった。
また、特許文献２においては、蓄光顔料による発光によって明るさを確保して避難経路を視認させるものであるが、避難経路などの方向を示すことまではできず、また明るさを確保するためには、広い範囲に蓄光顔料を含んだ塗料を塗布する必要があり、昼間や照明下における意匠効果を損なうものであった。
【０００６】
そこで、本考案は、昼間や照明下での壁紙の装飾効果を損ねることもなく、蓄光によって、暗闇や夜間の消灯時、或いは停電時において、出口や非常口などの各種方向を示すことができるサイン表示部を有する壁紙を提供することを目的とする。
【０００７】
本考案は、以上の目的を達成するために考案されたものであり、基材と、前記基材の表面に形成された装飾層から構成される壁紙であって、前記装飾層の表面は、装飾部及びサイン表示部を有し、前記装飾部の周囲の少なくとも一辺に、前記サイン表示部が設けられ、前記サイン表示部には、蓄光顔料を含むサイン模様が形成されることを特徴とする。
【０００８】
このように、本考案では、装飾層の表面において、装飾部とサイン表示部とを区分することで、昼間や照明下では、装飾部の装飾効果が損なわれることがなく視認でき、暗所や夜間の消灯時、或いは停電時では、サイン表示部に形成されたサイン模様の発光によって、各種方向などを示すことができる蓄光サイン壁紙が得られる。
【０００９】
また、本考案では、前記サイン表示部の幅を、１０〜１００ｍｍとすることが好ましい。１０ｍｍ未満であると、サイン模様が目立ち難い。１００ｍｍを越えると、装飾部の装飾効果が損なわれる。
【００１０】
さらに、本考案では、前記サイン模様は、樹脂成分１００重量部に対して、蓄光顔料を１０〜５０重量部含有した樹脂組成物で形成されることを特徴とする。
蓄光顔料の含有量がこの範囲であれば、暗闇や夜間の消灯時、或いは停電時に、サイン模様を視認するのに充分な発光時間が得られ、的確に各種方向などを示すことができる。
【００１１】
また、本考案では、前記基材の裏面に粘着層を有してもよい。
このように、基材の裏面に粘着層を有し、さらに剥離紙を積層しておけば、本考案の壁紙を施工する際に、剥離紙を剥がすだけで、壁紙を容易に壁面に貼ることができる。
【００１２】
本考案は、ボーダー壁紙に好適である。ボーター壁紙に適用する場合は、前記サイン表示部が前記装飾部の上部又は下部、或いは上下部両方の辺に設けられていればよい。
なお、ボーダー壁紙とは、アクセントとして、壁面の一部に貼るために使用する帯状の壁紙のことである。このようなボーダー壁紙（トリム壁紙とも称される）は、主に巻き物で販売されており、使用者が任意の長さに切断して、壁面に貼るものである。
そのため、前記サイン表示部が前記装飾部の上部又は下部、或いは上下部両方の辺に設けられていれば、使用時に任意の長さに裁断しても、サイン表示部が常に得られるため、サイン表示部を必要な箇所に配置しやすいものとなる。
【考案の効果】
【００１３】
本考案によれば、基材と、前記基材の表面に形成された装飾層から構成される壁紙であって、前記装飾層の表面は、装飾部及びサイン表示部を有し、前記装飾部の周囲の少なくとも一辺に、前記サイン表示部が設けられ、前記サイン表示部には、蓄光顔料を含むサイン模様が形成されるため、サイン表示部と装飾部とが区分されることによって、昼間や照明下では、装飾部の装飾効果が損なわれることがなく、暗闇や夜間の消灯時、或いは停電時には、サイン表示部に形成されたサイン模様の発光によって、各種方向などを示すことができる蓄光サイン壁紙が得られる。
【００１４】
また、本考案では、サイン表示部の幅を、１０〜１００ｍｍとすれば、装飾部の装飾効果を損ねることなく、暗闇や夜間の消灯時、或いは停電時において、サイン表示部に形成されたサイン模様が目立ち、的確に各種方向などを示すことができる。
【００１５】
さらに、本考案では、前記サイン模様を、樹脂成分１００重量部に対して、蓄光顔料を１０〜５０重量部含有した樹脂組成物で形成すれば、暗闇や夜間の消灯時、或いは停電時に、サイン模様を視認するのに充分な発光時間が得られ、的確に各種方向などを示すことができる。
【００１６】
また、本考案では、基材の裏面に粘着層を有し、さらに剥離紙を積層しておけば、本考案の壁紙を施工する際に、剥離紙を剥がすだけで、壁紙を容易に壁面に貼ることができる。
【００１７】
また、本考案は、ボーダー壁紙に好適である。その場合、サイン表示部が装飾部の上部又は下部、或いは上下部両方の辺に設けられていれば、使用時に任意の長さに裁断しても、サイン表示部が常に得られるため、サイン表示部を必要な箇所に配置しやすいものとなる。
【図面の簡単な説明】
【００１８】
【図１】（ａ）本考案の実施態様の一例を示す平面図であって、照明下で視認される状態を示し        た図。  （ｂ）（ａ）において、消灯時で視認される状態を示した図。
【図２】図１のＡ−Ａ断面図。
【考案を実施するための形態】
【００１９】
以下、本考案について、図面に基づいて説明する。なお、本考案は以下に示す実施態様に限定されるものではない。
【００２０】
図１及び図２で示されるように、本考案の蓄光サイン壁紙１は、基材２の表面に、装飾層３が形成されており、装飾層３の表面は、装飾部３ａ及びサイン表示部３ｂに区分されている。
【００２１】
本考案で使用する基材２としては、紙、合成紙、難燃紙、不燃紙、無機質紙、ラミネート紙、合成樹脂フィルム、不織布等を挙げることができる。
例えば、針葉樹晒クラフトパルプ（ＮＢＫＰ）、広葉樹晒クラフトパルプ（ＬＢＫＰ）、砕木パルプ（ＧＰ）、サーモメカニカルパルプ（ＴＭＰ）等の製紙用パルプ、及び古紙パルプ等から選ばれる少なくとも一種以上を適宜混合したものを使用する。勿論、寸法安定性を向上させるために、上記のパルプに、アクリル繊維、ポリエステル繊維等の合成繊維やガラス繊維等の無機繊維を混合することもできる。
【００２２】
本考案において、上記基材２の表面に、装飾層３が形成されている。
装飾層３は、例えば、ポリ塩化ビニルや塩化ビニルを主体とする他のモノマーとの共重合樹脂等の塩化ビニル系樹脂や、アクリル系樹脂、エチレン酢酸ビニル共重合体、ポリエチレン系樹脂、ポリプロピレン系樹脂等のオレフィン系樹脂などに、可塑剤、安定剤、着色剤、充填剤、難燃剤、防カビ剤、発泡剤、熱膨張性マイクロカプセル等を必要に応じて添加した樹脂組成物を、基材２の表面に積層した後、必要に応じて加熱、乾燥、発泡させて形成される。また、装飾層３は、単層でもよく、或いは樹脂組成物を変えて繰り返し塗工することで、装飾層３の表面に絵柄を形成してもよい。
【００２３】
また、図２に示すように、装飾層３には、発泡層５を積層させてもよい。発泡層５を設けると、ボリューム感のある壁紙が得られる。この発泡層５としては、装飾層３と同様の樹脂組成物が使用できる。
【００２４】
このような樹脂組成物の塗工方法としては、ドクターナイフコーター、ロールコーター、コンマコーター、リバースロールコーター、グラビアコーター、スクリーンプリンター、ロータリースクリーンプリンター、カレンダー機や押出機等によるフィルム（シート）の基材へのラミネート等の手段を用いることができる。
【００２５】
また、装飾層３の表面に、メカニカルエンボス、印刷インキでの印刷模様、表面処理等を施してもよいし、あるいは発泡抑制剤及び／又は発泡促進剤を含む印刷インキを使用してのケミカルエンボスを施すこともできる。
【００２６】
本考案において、装飾層３の表面は、装飾部３ａとサイン表示部３ｂを有し、装飾部３ａの周囲の少なくとも一辺に、サイン表示部３ｂが設けられている。
【００２７】
例えば、図１で示す実施態様は、装飾部３ａの周囲のうち、上部及び下部の辺に、サイン表示部３ｂが設けられているボーダー壁紙である。また、図１以外にも、サイン表示部３ｂの位置としては、装飾部３ａの上部辺のみや、下部辺のみなど、使用環境によって選択すればよく、装飾部３ａの周囲の少なくとも一辺にサイン表示部３ｂを設ければよい。なお、本考案は、ボーダー壁紙に限定されるものではなく、通常サイズの壁紙にも適用できる。
このように、装飾部３ａとサイン表示部３ｂとが明確に区分されることで、昼間や照明下における装飾部３ａによる装飾効果を損なうこともなく、暗闇や夜間の消灯時、或いは停電時には、サイン表示部３ｂのサイン模様４の発光によって、各種方向などを示すことができる蓄光サイン壁紙が得られる。
【００２８】
本考案は、ボーダー壁紙に好適である。ボーダー壁紙とは、アクセントとして、壁面の一部に貼るために使用する帯状の壁紙のことである。ボーダー壁紙（トリム壁紙とも称される）は、主に巻き物で販売されており、使用者が任意の長さに切断して、壁面に貼るものである。そのため、ボーダー壁紙を使用する際は、図１に示すように、サイン表示部３ｂを装飾部３ａの上部及び下部の辺に設ける、或いは上部又は下部に設ければ、使用時に任意の長さに裁断しても、サイン表示部３ｂが常に得られるため、サイン表示部３ｂを必要な箇所に配置しやすいものとなる。
【００２９】
本考案において、サイン表示部３ｂの幅は、１０〜１００ｍｍが好ましい。１０ｍｍ未満であると、サイン模様が目立ち難い。１００ｍｍを越えると、装飾部３ａの装飾効果が損なわれる。
そのため、１０〜１００ｍｍであれば、装飾部３ａの装飾効果を損ねることなく、暗闇や夜間の消灯時、或いは停電時において、サイン表示部３ｂに形成されたサイン模様４が目立ち、的確に各種方向などを示すことができる。
【００３０】
本考案において、装飾部３ａは、装飾層３の表面において、サイン表示部３ｂ以外の部分を示し、昼間や照明下で、装飾効果を発揮する部分である。装飾部３ａに蓄光顔料を含むと、通常、昼間や照明下において視認されにくいものであるが、多少なりとも視認できるため、装飾部３ａによる装飾効果が劣る傾向にある。また、暗闇や夜間の消灯時、或いは停電時において、装飾部３ａにも蓄光顔料による発光が視認されると、サイン表示部３ｂのサイン模様４の発光を阻害したり、サイン模様４が示す方向とは異なる認識を生じさせる虞がある。そのため、装飾部３ａでは、後述する蓄光顔料を含んでもよいが、サイン模様４を誤認しないような範囲にとどめることが望ましい。
【００３１】
サイン表示部３ｂには、蓄光顔料を含むサイン模様４が形成されており、このサイン模様４が暗闇や夜間の消灯時、或いは停電時に発光することで、各種方向を示すことができる。
なお、蓄光顔料とは、燐光体の１種であり、可視光、紫外光などの刺激を受け（励起光）、その刺激を停止させた後、蓄光顔料の内部に蓄えられたエネルギーにより発光するもので、暗闇や夜間の消灯時、或いは停電時などでのみ視認することのできるものである。発光色は、蓄光顔料の種類により異なるが黄緑色、紫青色、青色、緑色、黄色、橙色などがある。発光は、励起光の種類と明るさ、蓄光顔料の種類、暗所の状態などにより左右される。
【００３２】
本考案で使用できる蓄光顔料としては、ＣａＳ/Ｂｉ、（Ｃａ,Ｓｒ）Ｓ/Ｂｉのような硫化カルシウム系、ＺｎＳ/Ｃｕのような硫化亜鉛系、ＳｒＡｌ２Ｏ４のようなアルミン酸ストロンチウム系からなるものなどがある。これら蓄光顔料は、単独使用または併用しても良い。
【００３３】
本考案のサイン模様４は、塩化ビニル系樹脂や、アクリル系樹脂、エチレン酢酸ビニル共重合体など、装飾層３を形成するのに使用される樹脂組成物などに、上述した蓄光顔料を混合したものを、装飾層３表面のサイン表示部３ｂに、各種方法で塗工、印刷等を施して形成される。
【００３４】
蓄光顔料を樹脂組成物に混合する場合、樹脂成分１００重量部に対して、蓄光顔料は１０〜５０重量部含有することが好ましい。この範囲であれば、暗闇や夜間の消灯時、或いは停電時に、サイン模様４を視認するのに充分な発光時間が得られ、的確に各種方向などを示すことができる。
【００３５】
本考案において、サイン表示部３ｂに形成されるサイン模様４としては、例えば、図１で示されるような矢印や、三角形状などの図形柄、或いは「非常口」、「避難経路」などの文字によって、各種方向を示すことができるものであればよく、特に限定されるものではない。
【００３６】
本考案では、必要に応じて、図２で示すように、基材２の裏面に、粘着層６を設けても良い。この場合、粘着層６に剥離紙７を積層しておけば、本考案の壁紙を施工する際に、接着剤の塗布をすることなく、剥離紙を剥がすだけで、壁紙を容易に壁面に貼ることができる。
【００３７】
本考案の蓄光サイン壁紙は、前述した通り、基材２の表面に、装飾層３を構成する樹脂組成物を各種方法で塗工した後、必要に応じて加熱、乾燥、発泡させて形成される。
【００３８】
本考案は、装飾層３の表面に、装飾部３ａ及びサイン表示部３ｂを有するものであって、このように装飾部３ａとサイン表示部３ｂを区分する方法としては、例えば、基材２の表面に、樹脂組成物を装飾部３ａ及びサイン表示部３ｂに同時に塗工、乾燥してから、サイン表示部３ｂにサイン模様４を印刷する方法や、基材２の表面に、装飾層３を形成する樹脂組成物を塗工する際に、樹脂組成物を装飾部３ａに積層した後、色などを変えた別の樹脂組成物をサイン表示部３ｂに積層し、さらにサイン表示部３ｂにサイン模様４を印刷する方法などがある。他にも、基材２の表面にサイン模様４のみを印刷するなどの方法がある。
【００３９】
また、サイン表示部３ｂのみを有した壁紙を別途作成し、装飾部３ａのみを有する壁紙の周囲の少なくとも一辺に貼り付けて組み合わせたものも本考案の実施態様に含まれる。
【実施例】
【００４０】
以下、本考案について、実施例を挙げて説明する。なお、本考案は以下の実施例に限定されるものではない。
【００４１】
＜試験体＞
坪量１００ｇ／ｍ２の壁紙用原紙を基材とし、基材の表面に、表１で示す発泡層用の樹脂組成物を塗工して乾燥させた後、同じく表１で示す装飾層用の樹脂組成物を塗工及び乾燥させた。乾燥後、装飾層の表面に、表２で示す蓄光顔料（ＳｒＡｌ２Ｏ４系、根本特殊化学株式会社製、製品名「Ｎ夜光」）の添加量を変えたサイン模様用樹脂組成物を各々用いて、サイン模様（矢印）を印刷して乾燥させた後、オーブンで発泡させて、試験体１〜５を得た。なお、表１及び表２において、樹脂組成物の配合量は、重量部で示す。
【００４２】
＜視認性評価方法＞
試験体１〜５を暗所に２４時間以上光を遮断した状態で保持した後、４０Ｗ蛍光灯下、４４０ルクスの照度で６０分間照射し、照射を止めた後に暗所で、３ｍの距離からの視認性を目視で確認し、下記基準で評価を行った。結果を表２に示す。
◎：充分に発光し、蓄光部分が明瞭に見える。
○：発光がわずかに弱くなるが、蓄光部分は明瞭に見える。
△：発光が弱いが、蓄光部分は見える。
×：発光が無くなり、蓄光部分が見えない。
【００４３】
＜総合評価＞
視認性評価結果に基づき、下記の基準で総合評価を行った。結果を表２に示す。
○：２０分後で、蓄光部分が明瞭に見える。
△：２０分後で、蓄光部分が見える。
×：２０分後で、蓄光部分が見えない。
【００４４】
【表１】
0003176058.tif 000003
【００４５】
【表２】
0003176058.tif 000004
【００４６】
試験体１〜４では、表２で示されるように、樹脂成分１００重量部に対して、蓄光顔料を１０〜５０重量部添加したものを使用すれば、本考案の蓄光サイン壁紙として発光効果を有し、好ましいものであった。
【産業上の利用可能性】
【００４７】
本考案の壁紙であれば、暗闇や夜間の消灯時、或いは停電時において、サイン表示部３ｂに形成されたサイン模様４が発光して、出口や非常口などの各種方向を示すことができため、照明器具を点灯することなく、移動が可能となり、避難誘導灯の補助にも使用できる。
【符号の説明】
【００４８】
１  蓄光サイン壁紙
２  基材
３  装飾層
３ａ  装飾部
３ｂ  サイン表示部
４  サイン模様
５  発泡層
６  粘着層
７  剥離紙
【図１】
0003176058.tif 000005
【図２】
0003176058.tif 000006